(57)【要約】      （修正有）【課題】小物部品を効率的に収納、取り出しできる収納装置を提供する。【解決手段】収納装置は観覧車型であり、１対の回転板１０Ａと、８つの容器１１と、支持部１２とを有している。容器は、１対の回転板の間に、周方向に等間隔に吊り下げられた８つの籠１１０と、籠にそれぞれ置かれたバスケット状の収納箱１１１とを有している。籠は、長方形のトレイと、トレイの短辺中央部からそれぞれ上方に突出する長方形の板状の腕部とを有している。それぞれの籠は、２つの腕部が一対の回転板の円環部にそれぞれ回転可能に、２つの軸が重なる位置でビス止めされている。【選択図】図１
0003215775.tif 000002
【実用新案登録請求の範囲】
【請求項１】
間隔を開けて同軸に配置された１対の回転板と、
１対の前記回転板を、その中心軸が水平となるように支持し、かつ中心軸の回りに回転可能に支持する支持部と、
一端を一方の前記回転板の外周近傍と回転自在に接続し、他端を他方の前記回転板の外周近傍と回転自在に接続することで、１対の前記回転板の間に吊り下げられた複数の容器と、
を有することを特徴とする収納装置。
【請求項２】
前記容器は、１対の前記回転板の間に吊り下げられたトレイ状の籠と、籠の上に配置されたバスケット状の収納箱と、を有することを特徴とする請求項１に記載の収納装置。
【考案の詳細な説明】
【技術分野】
【０００１】
本考案は、小物などを収納する観覧車型の収納装置に関するものである。
【背景技術】
【０００２】
小物や玩具を収納したり陳列する収納装置として、観覧車型のものが知られている（特許文献１、２）。観覧車型の収納装置は、小物を効率的に収納することができ、かつ目的の小物を簡単に見つけて取り出すことができる。観覧車型の収納装置は、間隔を開けて同軸に配置された一対の回転板と、２枚の回転板の間に、回転板の軸と平行に固定された棒とを有し、その棒に回転自在に吊り下げられたバスケットを有している。
【先行技術文献】
【特許文献】
【０００３】
【特許文献１】実用新案登録第３０９６５０４号公報
【特許文献２】実用新案登録第３１５０８７２号公報
【考案の概要】
【考案が解決しようとする課題】
【０００４】
しかし、ネジ、ワッシャー、ナットなどの小物の機械部品は、形状の違いにより非常に多くの種類があり、効率的に分類して収納する必要があった。また、これら小物部品は頻繁に取り出されるものであり、目的の小物部品を効率的に探して取り出せるようにする必要があった。従来の観覧車型の収納装置では、これらの点が不十分であった。
【０００５】
そこで本考案の目的は、小物部品を効率的に収納することができ、取り出しも容易な観覧車型の収納装置を提供することである。
【課題を解決するための手段】
【０００６】
本考案は、間隔を開けて同軸に配置された１対の回転板と、１対の前記回転板を、その中心軸が水平となるように支持し、かつ中心軸の回りに回転可能に支持する支持部と、一端を一方の回転板の外周近傍と回転自在に接続し、他端を他方の回転板の外周近傍と回転自在に接続することで、１対の回転板の間に吊り下げられた複数の容器と、を有することを特徴とする収納装置である。
【０００７】
容器は、１対の前記回転板の間に吊り下げられたトレイ状の籠と、籠の上に配置されたバスケット状の収納箱と、を有する構造としてもよい。このような構造とすることで、収納箱を置く籠を替えて配置転換することが可能であり、収納物の整理整頓がより容易となる。
【考案の効果】
【０００８】
本考案の収納装置では、１対の回転板の間に吊り下げ棒を設けずに、容器を直接吊り下げているので、収納物の収納や取り出しの際に上方に邪魔になるものがない。そのため、収納物を効率的に整理して収納することができ、また目的の収納物を効率的に探し出して取り出すことができる。
【図面の簡単な説明】
【０００９】
【図１】実施例１の収納装置を側面から見た図。
【図２】実施例１の収納装置を正面から見た図。
【図３】籠１１０の構成を示した図。
【図４】収納箱１１１の構成を示した図。
【考案を実施するための形態】
【００１０】
以下、本考案の具体的な実施例について図を参照に説明するが、本考案は実施例に限定されるものではない。
【実施例１】
【００１１】
図１、２は、実施例１の収納装置の構成を示した図であり、図１は側面から見た図、図２は正面から見た図である。図１のように、実施例１の収納装置は観覧車型であり、１対の回転板１０Ａ、Ｂと、８つの容器１１と、支持部１２とを有している。以下、各構成についてより詳しく説明する。
【００１２】
（回転板１０Ａ、Ｂの構成）
回転板１０Ａ、Ｂは、スポークホイール状の形状であり、円環状の金属板である円環部１００と、円環部１００の中心部に位置する金属製の円板である中心部１０１と、中心部１０１から等角度に放射状に円環部１００まで伸びる８本の線状の金属板であるスポーク部１０２とを有している。中心部１０１とスポーク部１０２は連続して一体に形成されており、スポーク部１０２と円環部１００とはビス止めされている。このように回転板１０Ａ、Ｂをスポークホイール状とすることで、収納物が回転板１０Ａ、Ｂによって遮られて視認できなくなる範囲を少なくしている。また、回転板１０Ａ、Ｂの軽量化を図り、容易に回転できるようにしている。
【００１３】
また、円環部１００、中心部１０１、スポーク部１０２によって囲われる扇状の空間には、メッシュ状に孔が開けられた金属板であるメッシュ板１０３が設けられている。メッシュ板１０３を設けて空間を埋めることで、空間部分に指を入れて回転板１０Ａ、Ｂと支持部１２との間に指が挟まれてしまう怪我を防止している。また、メッシュとすることで収納物の視認性を損なわないようにしている。メッシュ板１０３に替えて、透明あるいは半透明の材料の板を用いてもよい。
【００１４】
円環部１００のうち、スポーク部との交点近傍には、容器１１を回転可能にビス止めするための孔１０６が設けられている。
【００１５】
回転板１０Ａ、Ｂの中心部１０１の中央には、後述の回転軸１２２を通すための円形の孔１０４が設けられている。また、回転板１０Ａの中心部１０１のうち、孔１０４よりも外側の領域には、円周方向に等間隔で１６個の孔１０５が設けられている。この孔１０５は、回転板１０Ａ、Ｂの回転を停止して固定するための止めピン１３０を挿入するためのものである。なお、孔１０５は中心部１０１以外に設けられていてもよく、円環部１００やスポーク部１０２に設けられていてもよい。
【００１６】
なお、回転板１０Ａ、Ｂの形状は、実施例１に示した形状に限るものではなく、回転板１０Ａ、Ｂの中心軸Ｌの回りに回転可能な任意の形状でよい。また、材料も金属に限らず、樹脂や木材などであってもよい。たとえば、円環部１００に替えて正多角形や星型などの環としてもよい。また、単純に１枚の円板や正多角形板としてもよい。その場合、収納物が回転板１０Ａ、Ｂに遮られて視認できなくなるのを防止するため、透明あるいは半透明の材料で回転板１０Ａ、Ｂを構成するとよい。
【００１７】
（支持部１２の構成）
支持部１２は、回転板１０Ａ、Ｂを間隔を開けて同軸に配置し、中心軸Ｌ回りに回転可能に支持するための台である。支持部１２は、台座部１２０と、台座部１２０表面からそれぞれ垂直に立ち上がる脚部１２１Ａ、Ｂと、回転軸１２２と、ベアリング１２３Ａ、Ｂと、キャスター１２４とを有している。
【００１８】
台座部１２０は金属製であり、平面視で長方形の枠体と、枠体の一方の長辺中央部と他方の長辺中央部を接続する梁で構成されている。
【００１９】
脚部１２１Ａ、Ｂはおよそ二等辺三角形の金属製の板状である。脚部１２Ａ、Ｂの下端（二等辺三角形の底辺）はＬ字型に折り曲げられている。そして、脚部１２１Ａの二等辺三角形の面と、台座部１２０の枠体の面とが垂直となるように、かつ、脚部１２１Ａの二等辺三角形の頂点が枠体の面の鉛直上方に位置するように、枠体の一方の長辺の角部に脚部１２１Ａの下端のＬ字型を沿わせ、その状態で脚部１２１Ａと枠体とが接続されている。また、枠体の他方の長辺にも、同様にして脚部１２１Ｂが接続されている。脚部１２１Ａ、Ｂの長辺の長さは、枠体の長辺の長さと同一である。脚部１２１Ａ、Ｂの底辺の両端と、枠体の長辺の両端とが一致するように接続されている。
【００２０】
また、脚部１２１Ａ、Ｂのうち、各辺近傍の領域と、頂点と底辺とを垂直に結ぶ線状の領域を除いて、孔１２５が設けられている。このようにして孔１２５を設けることで、脚部１２１Ａ、Ｂの強度を損なわずに、脚部１２１Ａ、Ｂの存在による収納物の視認性悪化を抑制している。また、その孔１２５にはメッシュ状に孔が開けられた金属板であるメッシュ板１２６が設けられ、孔１２５を埋めている。これにより、空間部分に指を入れて回転板１０Ａ、Ｂと支持部１２との間に指が挟まれてしまう怪我を防止している。また、メッシュとすることで収納物の視認性を損なわないようにしている。メッシュ板１２６に替えて、透明あるいは半透明の材料の板を用いてもよい。
【００２１】
また、脚部１２１Ａのうち、ベアリング１２３Ａ下部近傍の位置には、孔１２７が設けられている。回転板１０Ａ、Ｂの中心軸Ｌから孔１２７の中心までの距離は、中心軸Ｌから孔１０５の中心までの距離と等しい。そのため、１６個の孔１０５のうち１つと孔１２７とが軸方向において重なった時に、孔１０５と孔１２７の双方を貫通するように止めピン１３０を挿入することで、回転角度を１６段階に選択して回転板１０Ａ、Ｂの回転を固定することができる。
【００２２】
なお、軸方向において孔１０５と孔１２７が重なる位置であれば、孔１０５および孔１２７の位置は任意でよい。たとえば、孔１０５を円環部１００やスポーク部１０２に設けてもよく、この場合、孔１２７は脚部１２１Ａのうち軸方向において孔１０５と重なる位置に設ければよい。
【００２３】
ベアリング１２３Ａ、Ｂは、脚部１２１Ａ、Ｂの頂点近傍であって、脚部１２１Ａと脚部１２１Ｂとが対向する側の面にそれぞれ設けられている。また、ベアリング１２３Ａ、Ｂは同軸に配置され、その軸は中心軸Ｌに一致し、その軸方向が水平方向となるように配置されている。
【００２４】
回転軸１２２は、回転板１０Ａ、Ｂの中央の孔１０４に通されており、回転板１０Ａと回転板１０Ｂが所定の間隔を開けて回転軸１２２に固定されている。これにより、回転板１０Ａ、Ｂが同軸に保持されている。回転軸１２２の両端は、ベアリング１２３Ａ、Ｂにはめ込まれている。これにより、回転軸１２２は、その軸が中心軸Ｌであり、その軸方向が水平方向となるように保持され、中心軸Ｌ回りに回転可能に保持されている。以上のようにして、回転板１０Ａ、Ｂは、支持部１２によって間隔を開けて同軸に保持され、中心軸Ｌ回りに回転可能に保持されている。
【００２５】
キャスター１２４は、台座部１２０の裏面の四隅にそれぞれ設けられている。これにより、実施例１の収納装置を容易に移動可能としている。
【００２６】
なお、支持部１２の構造は実施例１に示した構造に限るものではなく、１対の回転板１０Ａ、Ｂを間隔を開けて同軸に保持し、回転板１０Ａ、Ｂの中心軸Ｌが水平となるように支持し、かつ中心軸Ｌの回りに回転可能に支持する構造であれば任意の構造を採用することができる。
【００２７】
（容器１１の構成）
容器１１は、回転板１０Ａ、Ｂの間に、周方向に等間隔に吊り下げられた８つの籠１１０と、籠１１０にそれぞれ置かれたバスケット状の収納箱１１１とを有している。
【００２８】
籠１１０は金属製であり、図３のように、長方形のトレイ１１２と、トレイ１１２の短辺中央部からそれぞれ上方に突出する長方形の板状の腕部１１３Ａ、Ｂとを有している。腕部１１３Ａ、Ｂの上部には、ビス止め用の孔１１４Ａ、Ｂがそれそれ設けられている。それぞれの籠１１０は、腕部１１３Ａと回転板１０Ａの円環部１００とが回転可能にビス止めされ、腕部１１３Ｂと回転板１０Ｂの円環部１００とが回転可能にビス止めされている。その２つのビス止め位置は軸方向において重なる位置である。このような籠１１０と回転板１０Ａ、Ｂとの接続が、周方向に等間隔で繰り返されることで、８つの籠１１０が回転板１０Ａ、Ｂの間に等間隔で吊り下げられた構造となっている。
【００２９】
このように、籠１１０は回転板１０Ａと回転板１０Ｂとの間に回転可能に吊り下げられた状態であり、回転板１０Ａ、Ｂの回転により籠１１０がどの位置に来たとしても、重力によりトレイ１１２の底面は水平面を保つことができる。収納物の視認性を高めるために、トレイ１１２に孔を設けたり、その孔をメッシュ状の板や透明の板で埋めてもよい。
【００３０】
収納箱１１１は、図４のように、直方体のバスケット状の容器であり、内部の空間に収納物を収納する。収納箱１１１の縦、横の長さは、トレイ１１２に収まる長さに設定されており、トレイ１１２の縦および横の長さよりも少し短い。また、収納箱１１１の深さはトレイ１１２の深さよりも高く設定されている。また、収納箱１１１の内部には仕切り１１５が設けられており、１つの収納箱１１１で複数の種類の収納物を効率的に分類して収納することが可能となっている。収納箱１１１は、透明な樹脂製である。透明とすることで、収納物の視認性を高め、目的の収納物がどこにあるのかを判断しやすくしている。
【００３１】
収納箱１１１は、籠１１０のトレイ１１２にはめ込まれて置かれている。これにより、収納箱１１１が水平面内で位置ずれしないようにしている。また、籠１１０から収納箱１１１を外すことができるので、収納箱１１１を置く籠１１０を替えて配置転換することが可能であり、収納物の整理整頓がより容易となる。また、深さの異なる収納箱１１１を用意することで収納量を増減することも可能である。
【００３２】
このように、容器１１は、回転板１０Ａ、Ｂの間に直接吊り下げられており、従来の観覧車型の収納装置のように、回転板１０Ａ、Ｂ間に引っかけ棒を設けてそこに容器１１を引っかける構造ではない。そのため、容器１１の収納箱１１１から収納物を取り出す際に引っかけ棒が邪魔にならず、効率的に取り出しができる。また、籠１１０上に収納箱１１１を配置する際や、籠１１０から箱１１１を外す際にも、同様にスムーズに行うことができる。また、部品点数が削減されるため、低コスト化できる。
【００３３】
なお、実施例１では容器１１を籠１１０と収納箱１１１で構成しているが、一端を回転板１０Ａの外周近傍と回転自在に接続し、他端を回転板１０Ｂの外周近傍と回転自在に接続することで、回転板１０Ａ、Ｂの間に吊り下げられた容器であれば任意の構成でよい。たとえば、実施例１の容器１１において収納箱１１１は省き、籠１１０のトレイ１１２をより深くして籠１１０そのものをバスケット状の容器とした構成としてもよい。また、上部が開放されたバスケット状、箱状に限らず、側部が開放された棚状の容器であってもよい。
【００３４】
また、実施例１の収納装置は、手動で回転板１０Ａ、Ｂを回転させるものであるが、モータを用いて自動で回転、停止を行うようにしてもよいし、リモコンなどによって回転、停止を制御できるようにしてもよい。
【００３５】
（実施例１の収納装置の動作）
実施例１の収納装置では、次のようにして目的の収納物の収納、および取り出しをすることができる。まず、円環部１００に手により周方向の力を加えることで回転板１０Ａ、Ｂを中心軸回りに回転させ、これにより回転板１０Ａ、Ｂの間に吊り下げられた複数の容器１１を観覧車のようにして円周方向に回転させる。ここで、回転板１０Ａ、Ｂはスポークホイール状の形状であり、容器１１の箱１１１が透明であることから、容器１１がどの位置にあっても、収納物は完全には遮られず、目視によって容易に収納したい容器１１の位置、あるいは取り出したい収納物が収納された容器１１の位置を確認できる。
【００３６】
そして、目的の容器１１が上部に来たとき、円環部１００を手で抑えて回転板１０Ａ、Ｂの回転を止め、必要に応じて止めピンをはめ込んで回転しないように固定する。次に、容器１１の箱１１１の所定の位置に収納物を収納したり、目的の収納物を容器１１から取り出す。ここで、容器１１の上方には従来の観覧車型収納装置のような引っかけ棒がないため、容器１１の上方に邪魔になるものがなく、スムーズに収納物を収納したり取り出したりすることができる。
【００３７】
このように、実施例１の収納装置では、複数の容器１１のうちから収納物を収納したい容器１１を簡単に選択することができ、多種多様な収納物を効率的に分類して収納することができる。また、目的の収納物を取り出すことも容易である。
【００３８】
実施例１の収納装置は、任意の収納物を収納することができるが、ネジ、ナット、ワッシャーなどの小物の機械部品を整理して収納するのに適している。小物の機械部品は、多種多様なサイズ、形状があり、頻繁に収納したり取り出したりするものであるが、実施例１の収納装置を用いればそれを効率的に行うことができる。
【産業上の利用可能性】
【００３９】
本考案の収納装置は、多種多様な収納物の収納に利用することができる。特に小物の機械部品の収納に有効である。
【符号の説明】
【００４０】
１０Ａ、Ｂ：回転板
１１：容器
１２：支持部
１００：円環部
１０１：中心部
１０２：スポーク部
１１０：籠
１１１：収納箱
１２０：台座部
１２１Ａ、Ｂ：脚部
１２２：回転軸
１２３Ａ、Ｂ：ベアリング
１２４：キャスター
１３０：止めピン
【図１】
0003215775.tif 000003
【図２】
0003215775.tif 000004
【図３】
0003215775.tif 000005
【図４】
0003215775.tif 000006